【事件の表示】
　平成１０年特許願第１５７７８９号「弾球遊技機の電源供給装置」拒絶査定不服審判事件〔平成１１年１２月２１日出願公開、特開平１１−３４７１８５〕について、次のとおり審決する。
【結　論】
　本件審判の請求は、成り立たない。
【理　由】
第１　手続の経緯
　本願は、平成１０年６月５日に出願された特願平１０−１５７７８９号の特許出願であって、平成１１年２月１２日付の原審における拒絶理由通知に対し平成１１年４月２３日付で意見書及び手続補正書が提出され、平成１１年１２月２２日付で拒絶査定がなされたところ、前記拒絶査定を不服として、平成１２年２月１０日に拒絶査定不服審判が請求されるとともに、平成１２年３月１０日付で明細書についての手続補正がなされたものである。
　
第２　平成１２年３月１０日付の手続補正についての補正の却下の決定
　
［補正の却下の決定の結論］
　平成１２年３月１０日付の手続補正を却下する。
　
［理由］
１．補正後の発明
　平成１２年３月１０日付の手続補正は、平成１１年４月２３日付の手続補正に基いて補正された明細書の特許請求の範囲の
　「【請求項１】　遊技機本体（１）側の発射手段（２６）と払い出し手段（４３）とを夫々電気的に制御する発射制御基板（３０）と払い出し制御基板（４５）とを備え、前記遊技機本体（１）に装着された遊技盤（１１）を電気的に制御する遊技制御基板（３６）とを備えた弾球遊技機において、電源コード（５０）を介して外部電源に接続される電源供給基板（３１）を設け、該電源供給基板（３１）の電源回路（５１）に、外部電源をＤＣ電源に整流する整流部（５２）と、そのＤＣ電源をＤＣ／ＤＣ変換する変換部（５３）と、変換後のＤＣ電源又は外部電源を分配する分配部（５４）とを備え、前記分配部（５４）から前記発射制御基板（３０）、払い出し制御基板（４５）、遊技制御基板（３６）に電源を夫々供給するようにしたことを特徴とする弾球遊技機の電源供給装置。
　　【請求項２】　遊技機本体（１）側の発射手段（２６）と払い出し手段（４３）とを夫々電気的に制御する発射制御基板（３０）と払い出し制御基板（４５）とを備え、前記遊技機本体（１）に装着された遊技盤（１１）を電気的に制御する遊技制御基板（３６）とを備えた弾球遊技機において、電源コード（５０）を介して外部電源に接続される電源供給基板（３１）を設け、該電源供給基板（３１）から前記遊技制御基板（３６）に電源を供給し、前記遊技制御基板（３６）に、前記電源供給基板（３１）の電源回路からの電源をＤＣ電源に整流する整流部（５２）と、そのＤＣ電源をＤＣ／ＤＣ変換する変換部（５３）と、変換後のＤＣ電源又は前記電源供給基板（３１）からの電源を分配する分配部（５４）とを備え、前記分配部（５４）から前記発射制御基板（３０）、払い出し制御基板（４５）に電源を夫々供給するようにしたことを特徴とする弾球遊技機の電源供給装置。
　　【請求項３】　遊技機本体（１）に、球貸し機（４）に球貸し指令を与える球貸し用操作手段（２４）と、この球貸し用操作手段（２４）の球貸し用操作に伴う前記球貸し機（４）からの球貸し要求に応じて遊技球を貸し出す払い出し手段（４３）とを備え、前記分配部（５４）から前記球貸し機（４）側にその電源の一部を供給するようにしたことを特徴とする請求項１又は２に記載の弾球遊技機の電源供給装置。」
の記載を、
　「【請求項１】　
遊技機本体（１）側の発射手段（２６）を電気的に制御する発射制御基板（３０）と、前記遊技機本体（１）側の払い出し手段（４３）を電気的に制御する払い出し制御基板（４５）と、
備え、前記発射制御基板（３０）と払い出し制御基板（４５）と遊技制御基板（３６）と電源供給基板（３１）とを別々に設け、前記
　　【請求項
２
請求項１に記載
と補正する（以下、これを「本件補正」という。）ことを含むものである。
　
２．補正の内容
　上記本件補正の内容を整理して要約すれば、以下のとおりである。
［補正１］：補正前の請求項１の「遊技機本体（１）側の発射手段（２６）と払い出し手段（４３）とを夫々電気的に制御する発射制御基板（３０）と払い出し制御基板（４５）とを備え、」の記載における手段と基板との対応関係が明確になるように、新請求項１の「遊技機本体（１）側の発射手段（２６）を電気的に制御する発射制御基板（３０）と、前記遊技機本体（１）側の払い出し手段（４３）を電気的に制御する払い出し制御基板（４５）と、」のように手段と基板との対応関係を整理する。
［補正２］：補正前の請求項１の発明特定事項として、「前記発射制御基板（３０）と払い出し制御基板（４５）と遊技制御基板（３６）と電源供給基板（３１）とを別々に設け、」の技術事項を付加することにより、弾球遊技機の電源供給装置の構成を限定する。
［補正３］：補正前の請求項２を削除する。
［補正４］：補正前の請求項３の「請求項１又は２に記載の」という引用請求項の択一的記載を削除して「請求項１に記載の」とすることにより発明の構成を限定し、補正前の請求項３を新請求項２に繰り上げる。
　
　しかして、上記本件補正の［補正１］は、特許法第１７条の２第４項第４号の「明りようでない記載の釈明」を目的とする補正に該当し、［補正２］は、同条第４項第２号の「特許請求の範囲の減縮」を目的とする補正に該当し、［補正３］は、同条第４項第１号の「請求項の削除」を目的とする補正に該当し、そして、［補正４］は、同条第４項第４号の「明りようでない記載の釈明」を目的とする補正に該当する。
　
　上記のとおり、新請求項１及び該新請求項１を引用する新請求項２に係る発明の補正は、直接的及び間接的に特許法第１７条の２第４項第２号の「特許請求の範囲の減縮」の場合に該当するから、そこで、本件補正後の前記請求項１及び請求項２に記載された発明（以下、「
本願補正発明１
本願補正発明２
　
３．引用刊行物及び該引用刊行物の記載事項
（１）原審における拒絶査定の理由に引用された特開平９−１７３５６９号公報（以下、「
引用刊行物１
　「【０００６】そして、上記役物装置の各種電気機器の制御（本体枠、ガラス枠、ランプおよびスピーカー等の制御も行う。）を行う役物制御回路と、発射系統の制御を行う発射制御回路と、排出系統の制御を行う排出制御回路は、それぞれ別体で、本体枠の裏面側或いは遊技盤の裏面側などに配設されていた。」
　「【００３５】また、遊技店の中央管理装置などへ遊技機の外部情報（発射情報、球補給情報、球貸し情報、賞球情報、打ち込み球情報）を出力するための外部情報端子および遊技機用電源（例えばＡＣ２４Ｖ）を取り込むための電源コード２０５ａなどを有するターミナル基盤２０５、背面部に表示制御装置２８０（表示制御回路２８０Ａ）を搭載した特図の可変表示装置４の背面側を覆う背面カバー３１２、発射ユニット１０４、排出発射制御装置２１０（排出発射制御回路２１０Ａ）、役物制御装置２６０（役物制御回路２６０Ａ）及び中継基盤２０６等が設置されている。」
　「【００４２】排出発射制御装置２１０は、後述するように、遊技球の排出制御回路と発射制御回路とを１つにした排出発射制御回路２１０Ａを有するとともに、共通電源供給回路５０を有する。」
　「【００４６】図４〜図７に示すように、外部情報端子２０５ｂ等を有するターミナル基盤２０５と、共通電源回路５０を有する排出発射制御回路２１０Ａとが接続されている。」
　「【００４８】排出発射制御回路２１０Ａは排出系統（排出ユニット２０３、球抜きユニット２０４、セーフユニット２０７）及び枠系統（ガラス枠開閉ランプ１０２ｄ等）の制御と発射系統（球送り装置２５５、発射ユニット１０４）の制御とを行う排出発射制御用中央処理装置（ＣＰＵ；Central Processing Unit）、ＲＯＭ（Read Only Memory）２１３、ＲＡＭ（Random Access Memory）２１４、リレー回路２１８ａ〜２１８ｄ、入出力回路２１６及びインターフェース回路２１７等を備えている。」
　「【００５１】また、この排出発射制御回路２１０Ａは、共通電源回路５０として、第１の電源回路２１１と第２の電源回路２１２とを備えている。そして、第１の電源回路２１１は排出発射制御回路２１０Ａ自体で使う使用する電源を作成すると共に、役物制御回路２６０Ａで使う電源を作成して供給し、第２の電源回路２１２は発射系統（発射ユニット１０４、球送り装置２５５など）で使う電源を作成して供給するようになっている。
　　【００５２】排出発射制御回路２１０には、排出ユニット２０３、球抜きユニット２０４、セーフユニット２０７、発射ユニット１０４、オーバーフロースイッチ２５９及びアウト球センサ２３２等が接続され、役物制御回路２６０には役物中継基盤２５７を介して役物装置２５８（例えば、可変表示装置４、変動入賞装置５、各種表示器４ｂ、７ａやスイッチ類９ｂ、６ａ、５ｃ、５ｄなど）等が接続されている。」
　「【００８１】次に、外部電源（例えば、ＡＣ２４Ｖ）からの電力を所要の電力に変換して構成各部に分配する配電系統について説明する。
　　【００８２】ターミナル基盤２０５に、電源コード２０５ａを介して、島設備の外部電源からの電気（例えば、ＡＣ２４Ｖ）が供給されると、ターミナル基盤２０５からその電気（例えば、ＡＣ２４Ｖ）がそのまま排出発射制御回路２１０Ａの第１の電源回路２１１と第２の電源回路２１２とに供給される。また、役物制御回路２６０にモーター類（この実施の形態においては採用していない。）が接続されているときには、そのモーター類に対し、ターミナル基盤２０５を介して外部電源の電気（例えば、ＡＣ２４Ｖ）がそのまま供給される。
　　【００８３】この電気が、第１の電源回路２１１においては第２の直流電圧（例えば、ＤＣ３３Ｖ）、第１の直流電圧（例えば、ＤＣ２４Ｖ）、第３の直流電圧（例えば、ＤＣ１２Ｖ）及び第４の直流電圧（例えば、ＤＣ５Ｖ）に変換され、第２の電源回路２１２においては第５の直流電源（例えば、直流２５Ｖ）に変換される。
　　【００８４】そして、第２の直流電圧（ＤＣ３３Ｖ）が役物制御回路２６０Ａに接続された各種駆動用ソレノイド（特別変動入賞装置５や普通変動入賞装置９の駆動用ソレノイドなど）類に、第１の直流電圧（ＤＣ２４Ｖ）が役物制御回路２６０Ａに接続された装飾ランプ１１類に、第３の直流電圧（例えば、ＤＣ１２Ｖ）が役物制御回路２６０Ａの電源回路２６４（図８）や役物制御回路２６０Ａに接続された各種スイッチ類（９ｂ、６ａ、５ｃ、５ｄ、３１１など）およびＬＥＤ１２、表示制御回路２８０の電源回路２８１、排出ユニット２０３の排出センサー１，２、セーフユニット２０７のセーフセンサー、およびアウト球センサ２３２等に、第４の直流電圧（例えば、ＤＣ５Ｖ）が発射ユニット１０４、排出発射制御用ＣＰＵ２１５等のロジック回路系統に、それぞれ供給される。役物制御回路２６０Ａの電源回路２６４に送られた第３の直流電源（例えば、１２Ｖ）は、電源回路２６４によりロジック回路用直流電圧（例えば、５Ｖ）に変換されて役物制御回路２６０Ａのロジック回路に供給される。
　　【００８５】一方、第５の直流電圧（例えば、ＤＣ２５Ｖ）が発射ユニット１０４のロータリーソレノイド１０４ｃ、球送り装置２５５の駆動用ソレノイド２５５に、それぞれ供給される。
　　【００８６】図９には、排出発射制御回路２１０Ａ内の第１の電源回路２１１および第２の電源回路２１２の概略回路図を示す。
　　【００８７】排出発射制御回路２１０の基板上には、第１の電源回路２１１と第２電源回路がそれぞれ別個に配設されている。
　　【００８８】第１の電源回路２１１は、図９に示すように、第１の直流電圧電源（例えば、ＤＣ２４Ｖ）作成回路２１１ａと、第２の直流電圧電源（例えば、３３Ｖ）作成回路２１１ｂと、第３の直流電圧電源（例えば、１２Ｖ）作成回路２１１ｃと、第４の直流電圧電源（例えば、ＤＣ５Ｖ）作成回路２１１ｄとから構成されている。
　　【００８９】第１の直流電圧電源作成回路２１１ａは、例えば、バリスタＶ１〜Ｖ３と整流ブリッジ回路Ｂｒ１とにより構成され、外部電源（ＡＣ２４Ｖ）を全波整流して第１の直流電圧電源（ＤＣ２４Ｖ）に変換（平滑）して上記所要部に供給する。第２の直流電圧電源作成回路２１１ｂは、例えば、ダイオードＤ１と突入電流を防止するパワーサーミスタＰＳ１とコンデンサＣ１，Ｃ２とによって構成され、第１の直流電圧（例えば、ＤＣ２４Ｖ）を第２の直流電圧（例えば、直流３３Ｖ）に変換して上記所要部に供給する。第３の直流電圧電源作成回路２１１ｃは、スイッチングレギュレータＳＲ１に、ツェナーダイオードＤ２とインダクタＬ１とコンデンサＣ３とからなる平滑安定回路２１１ｇが接続されて構成され、第２の直流電圧（例えば、直流３３Ｖ）を第３の直流電圧（例えば、１２Ｖ）に変換して上記所要部に供給する。第４の直流電圧電源作成回路２１１ｄはコンデンサＣ６〜Ｃ８と電圧変換ＩＣ（ＥＸ１）とから構成され、第３の直流電圧（例えば、ＤＣ１２Ｖ）を第４の直流電圧（例えば、ＤＣ５Ｖ）に変換して上記所要部に供給する。
　　【００９０】第２の電源回路２１２は第５の直流電圧電源作成回路として構成され、整流回路２１２ａと平滑回路２１２ｂとからなる。整流回路２１２ａはバリスタＶ４と整流ブリッジ回路Ｂｒ２とで構成され、交流電源（例えば、ＡＣ２４Ｖ）を直流電源に変換する。平滑回路２１２ｂは、電圧変換ＩＣ（ＥＸ２）、抵抗Ｒ１とダイオードＤ４とコンデンサＣ１０と可変抵抗Ｒ２と帰還ダイオードＤ３とからなる可変安定化回路２１２ｇ、及びコンデンサＣ９，Ｃ１０により構成され、整流回路２１２ａにより直流に変換された直流電源を第５の直流電圧（例えば、ＤＣ２５Ｖ）に変圧し、上記所要部に供給する。この第２の電源回路２１２の平滑回路２１２ｂは、可変安定化回路２１２ｇを備えているので、安定した電源が発射ユニット１０４へ供給されて、発射される遊技球のムラ飛び等を防止できる。この第２の電源回路２１２における可変安定化回路Ｒ２の可変抵抗Ｒ２の抵抗値の調整は発射微調整ツマミ２１０ａの操作によって行われる。この調整により、発射ユニット１０４のロータリーソレノイド１０４ｃへの供給電圧値の微調整が可能となる。」
　「【０１１８】請求項２記載の遊技機によれば、発射関連装置、排出関連装置、及び遊技関連装置で使用される電源の作成及び供給を行う共通電源供給回路が排出発射制御回路に備えられているので、同様の電源が作成される電源回路を、発射関連制御回路、排出関連制御回路、及び、遊技制御回路のそれぞれに設ける必要がなくなり、制御回路製作コストの低減や、制御回路の取付スペースの縮小などが可能となる。」
　
　そして、引用刊行物１の添付図面の図４には、電源コード２０５ａからの外部交流電源ＡＣ２４Ｖ、ターミナル基盤２０５、排出発射制御回路２１０Ａ及び中継基盤２０６と発射ユニット１０４、排出ユニット２０３、役物制御回路２６０Ａ及び各種電気機器類との配線関係を示すブロック図が示され、また図６には、ターミナル基盤２０５を介した外部交流電源ＡＣ２４Ｖが排出発射制御回路２１０Ａの電源回路２１１、２１２を介して供給される発射ユニット１０４、排出ユニット２０３及び役物制御回路２６０Ａの各種電気機器類への電圧供給関係を示すブロック図が示され、さらに図９には、排出発射制御回路２１０Ａ内の第１の電源回路２１１および第２の電源回路２１２の概略回路図が図示されている。
　そうすると、上記引用刊行物１における前記摘記事項及び添付図面における記載からみて、引用刊行物１には、「遊技機の遊技領域に対し遊技球を発射する発射ユニット１０４と、遊技球の排出を行なう排出ユニット２０３と、遊技機の遊技領域内に配設された役物装置２５８と、前記発射ユニット１０４の制御を行なう発射制御回路と、前記排出ユニット２０３の制御を行なう排出制御回路と、前記役物装置２５８の制御を行なう役物制御回路２６０Ａとを備えた遊技機１００であって、前記遊技機１００は、そのターミナル基盤２０５に電源コード２０５ａを介して外部からの交流電源が供給され、前記発射制御回路と排出制御回路とが排出発射制御回路２１０Ａとして一体に形成され、かつ、前記排出発射制御回路２１０Ａは、前記外部からの交流電源を、前記発射ユニット１０４、排出ユニット２０３及び役物装置２５８で使用される所要の直流電圧に変換して供給を行なう共通電源供給回路５０を備え、該共通電源供給回路５０の第１の電源回路２１１では第１ないし第４の直流電圧に変換され、第２の電源回路２１２では第５の直流電圧に変換されるとともに、外部電源からの交流電源がそのまま役物制御回路２６０Ａのモーターに供給されるようにした遊技機の電源供給装置」の発明（以下、これを「
引用発明１
　
（２）原審における拒絶査定の理由に引用された特開平９−１０４２２号公報（以下、「
引用刊行物２
　「【００３２】図４は、図３に示した第１の実施例における交流・直流電源部５３、分電器５０、およびパチンコ遊技機１の接続を示すブロック図である。電源４９から交流・直流電源部５３に入力された交流１００ボルトの電力は、変圧回路５４により、たとえば交流２４ボルトの電力に変圧される。変圧された電力は分電器５０に出力される一方、整流回路５５により、交流から直流に整流される。整流回路５５によって整流された電力は、平滑回路
５５
　そして、引用刊行物２の添付図面の図４には、上記摘記した技術事項を裏付けるブロック図が図示されている。
　
４．対比及び一致点・相違点
（１）本願補正発明１について
　本願補正発明１と引用発明１とを対比すると、引用発明１の「遊技機の遊技領域に対し遊技球を発射する発射ユニット１０４」「遊技球の排出を行なう排出ユニット２０３」「遊技機の遊技領域内に配設された役物装置２５８」「遊技機１００」「電源コード２０５ａ」「外部からの交流電源」「第１の電源回路２１１及び第２の電源回路２１２」及び「遊技機の電源供給装置」が、本願補正発明１の「遊技機本体（１）側の発射手段（２６）」「前記遊技機本体（１）側の払い出し手段（４３）」「前記遊技機本体（１）に装着された遊技盤（１１）」「弾球遊技機」「電源コード（５０）」「外部電源」「電源回路（５１）」及び「弾球遊技機の電源供給装置」に対応する。
　また、本願補正発明１と引用発明１とを対比するに際して、一般に制御回路はその中に制御基板を備えていることに基づき、引用発明１の「発射制御回路」「排出制御回路」「役物制御回路２６０Ａ」「排出発射制御回路２１０Ａ」「共通電源供給回路５０」のそれぞれの制御回路がそれぞれの制御基板を具備していることを考慮すれば、引用発明１の「発射制御回路」「排出制御回路」「役物制御回路２６０Ａ」及び「共通電源供給回路５０」のそれぞれは、本願補正発明１の「発射制御基板（３０）」「払い出し制御基板（４５）」「遊技制御基板（３６）」及び「電源供給基板（３１）」に対応する。
　そして、引用発明１の「排出発射制御回路２１０Ａの第１の電源回路２１１及び第２の電源回路２１２」が果たす「前記外部からの交流電源を、前記発射ユニット１０４、排出ユニット２０３及び役物装置２５８で使用される所要の直流電圧に変換して供給を行なう」役割は、本願補正発明１の「変換後のＤＣ電源又は外部電源を分配する分配部（５４）」の役割を備えているといえる。
　してみると、本願補正発明１と引用発明１とは、「遊技機本体側の発射手段を電気的に制御する発射制御基板と、前記遊技機本体側の払い出し手段を電気的に制御する払い出し制御基板と、前記遊技機本体に装着された遊技盤を電気的に制御する遊技制御基板とを備えた弾球遊技機において、電源コードを介して外部電源に接続される電源供給基板を備え、前記分配部から前記発射制御基板、払い出し制御基板、遊技制御基板に電源を供給するようにした弾球遊技機の電源供給装置」である点で、両者の構成が一致し、次の点で相違する。
　
相違点１
　
相違点２
　
相違点３
　
５．判断
（１）相違点１について
　引用発明１に対する先行従来技術として、引用刊行物１に「【０００６】そして、上記役物装置の各種電気機器の制御（本体枠、ガラス枠、ランプおよびスピーカー等の制御も行う。）を行う役物制御回路と、発射系統の制御を行う発射制御回路と、排出系統の制御を行う排出制御回路は、それぞれ別体で、本体枠の裏面側或いは遊技盤の裏面側などに配設されていた。」が記載されている。
　したがって、役物制御回路（役物制御基板）と発射制御回路（発射制御基板）と排出制御回路（排出制御基板）とを、それぞれ別体に形成し、それぞれ別々に配設することは、従来周知の技術といえる。
　そうしてみると、引用発明１の、発射制御回路と排出制御回路とが排出発射制御回路２１０Ａとして一体に形成され、共通電源供給回路５０の第１の電源回路２１１及び第２の電源回路２１２も排出発射制御回路２１０Ａに形成される構成に対して、上記従来周知の技術を適用することにより、本願補正発明１の上記相違点１に係る「前記発射制御基板と払い出し制御基板と遊技制御基板と電源供給基板とを別々に設け、電源回路が前記電源供給基板の中に形成される」ように変更することは、当業者が容易に想到できることである。
　
（２）相違点２について
　引用刊行物２には、上記「第２」の「３．引用刊行物及び該引用刊行物の記載事項」欄に摘記した事項からみて、「電源４９から交流・直流電源部５３に入力された交流１００ボルトの電力が、変圧回路５４により交流２４ボルトの電力に変圧されて分電器５０に出力される一方、整流回路５５により交流から直流に整流された電力は、平滑回路５６により平滑処理された後、変圧回路５７により、パチンコ遊技機１で使用される１２ボルトや５ボルト等の各種電圧に変圧されて、分電器５０へ出力され、交流・直流電源部５３から出力された交流電力と直流電力は分電器５０に入力されて、パチンコ遊技機１に出力されるとともに、他の分電器に出力され、分電器５０からパチンコ遊技機１に出力された交流電力と直流電力とは電源インタフェース３９の交流電源用端子６２および直流電源用端子６３にそれぞれ入力され、交流電源用端子６２に入力された交流電力は、打球モータ５９に供給される一方、直流電源用端子６３に入力された直流電源は、遊技制御基板４１には直流５ボルトの比較的低電圧の電力として供給されるようにした電源供給回路」の技術が記載されている。
　そうすると、引用刊行物２に記載の「外部ＡＣ電源をＤＣ電源に整流する整流回路５５、整流されたＤＣ電源を所要の各種ＤＣ電圧電源に変換する変圧回路５７、そして変換後の各種ＤＣ電圧電源又は外部ＡＣ電源を分配する分電器５０から出力するようにした電源供給回路」は、本願特許出願前の公知の技術である。
　してみると、引用発明１の「第１の電源回路２１１及び第２の電源回路２１２」に、引用刊行物２に記載の上記公知の電源供給回路の技術を適用することにより、「外部電源をＤＣ電源に整流する整流部と、そのＤＣ電源をＤＣ／ＤＣ変換する変換部と、変換後のＤＣ電源又は外部電源を分配する分配部とを備え」るようにして、本願補正発明１の上記相違点２に係る構成を得ることは、当業者が格別の困難を伴うことなく容易になし得ることである。
　
（３）相違点３について
　電源を各制御基板に供給するに際して、個々の制御基板ごとに電源を夫々供給するようにすることは、当業者が必要に応じて適宜なし得る設計事項である。
　
　そして、本願補正発明１の奏する作用・効果は、上記引用発明１及び引用刊行物２に記載の発明及び周知技術から予測できる範囲内のものであり、格別のものということができない。
　
（６）まとめ
　したがって、本願補正発明１は、引用発明１、引用刊行物２に記載の発明及び周知技術に基いて当業者が容易に発明をすることができたものであるから、本願補正発明１は特許法第２９条第２項の規定により、その特許出願の際独立して特許を受けることができないものである。
　
６．むすび
　以上のとおりであり、本願補正発明２について検討するまでもなく、本願補正発明１についての補正を含む本件補正は、平成１５年改正前の特許法第１７条の２第５項において準用する同法第１２６条第４項の規定に違反するものであるから、同法第１５９条第１項において読み替えて準用する第５３条第１項の規定により却下されるべきものである。
　
第３　本願発明について
１．本願発明
　平成１２年３月１０日付の手続補正は上記のとおり却下されたので、本願発明は、平成１１年４月２３日付の手続補正に基いて補正された明細書の特許請求の範囲の請求項１ないし請求項３に記載された事項により特定されるとおりのものであるところ、特にその請求項１に係る発明は、次のとおりのものである。
　「【請求項１】　遊技機本体（１）側の発射手段（２６）と払い出し手段（４３）とを夫々電気的に制御する発射制御基板（３０）と払い出し制御基板（４５）とを備え、前記遊技機本体（１）に装着された遊技盤（１１）を電気的に制御する遊技制御基板（３６）とを備えた弾球遊技機において、電源コード（５０）を介して外部電源に接続される電源供給基板（３１）を設け、該電源供給基板（３１）の電源回路（５１）に、外部電源をＤＣ電源に整流する整流部（５２）と、そのＤＣ電源をＤＣ／ＤＣ変換する変換部（５３）と、変換後のＤＣ電源又は外部電源を分配する分配部（５４）とを備え、前記分配部（５４）から前記発射制御基板（３０）、払い出し制御基板（４５）、遊技制御基板（３６）に電源を夫々供給するようにしたことを特徴とする弾球遊技機の電源供給装置。」（以下、これを「
本願発明１
　
２．引用刊行物及び該引用刊行物の記載事項並びに引用発明１
　原審における拒絶査定の理由に引用された引用刊行物及び該引用刊行物に記載された発明及び技術事項は、上記「第２」の「３．引用刊行物及び該引用刊行物の記載事項」欄に記載したとおりである。
　
３．対比・判断
　補正後の本願補正発明１の構成は、補正前の本願発明１の「弾球遊技機の電源供給装置」に対して、「前記発射制御基板（３０）と払い出し制御基板（４５）と遊技制御基板（３６）と電源供給基板（３１）とを別々に設け、」の構成を付加することにより限定的に減縮した補正の結果によるものであるから、本願発明１が本願補正発明１の上位概念の発明であることは明らかである。
　してみると、本願発明１の下位概念の発明に当たる本願補正発明１が、前記「第２」の「５．判断」欄に記載したとおり、引用発明１、引用刊行物２に記載の発明及び周知技術に基いて当業者が容易に発明をすることができたものである以上、本願補正発明１の上位概念に相当する構成からなる本願発明１も、本願補正発明１についての理由と同様の理由により、引用発明１、引用刊行物２に記載の発明及び周知技術に基いて当業者が容易に発明をすることができたというべきものである。
　
４．むすび
　以上のとおり、本願発明１は、上記引用発明１、引用刊行物２に記載の発明及び周知技術に基いて当業者が容易に発明をすることができたものであり、本願発明１が特許法第２９条第２項の規定により特許を受けることができないから、本願の他の請求項に係る発明を検討するまでもなく、本願は拒絶すべきものである。
　よって、結論のとおり審決する。